(57)【特許請求の範囲】
【請求項１】
長尺体の巻取機構を内蔵するケースの前記長尺体の引出口にブラシを取付ける構造において、前記ケースに形成された略四角形の窓の対向する対角点を分割点とするように弾性変形可能な2つの枠体を構成し、前記枠体のそれぞれの外周に前記窓に係合する溝を設けるとともにブラシを植設し、前記枠体のそれぞれに、最後に前記窓に当接する領域の奥側に前記窓を乗り越えるための切り欠き部が形成されていて、前記枠体を前記窓に弾性により固定してなる長尺体巻取装置における引出口構造。
【請求項２】
前記２つの枠体は、前記窓に平行な平面上で突き当たって当接する領域と、一方の枠体の先端が他方の枠体の内面に突き当たって当接するとともに前記枠体の弾性変形により嵌合、離脱可能な係合部を有する領域が形成されている請求項１に記載の長尺体巻取装置における引出口構造。
【発明の詳細な説明】
【０００１】
【発明の属する技術分野】
本発明は、ホースやコード等の長尺体を巻き取る装置における引出口構造、より詳細には長尺体の引出口のブラシの取付け構造に関する。
【０００２】
【従来の技術】
ホースやコード等の長尺体を巻き取るコードリールは、長尺体に付着した塵埃等が巻取機構に浸入して回転機構を損傷するのを防止する目的で、長尺体の引出口に長尺体と接触するブラシを配置し、長尺体の巻取時にブラシにより塵埃等を可及的に払拭するように構成されている。
【０００３】
【発明が解決しようとする課題】
しかながら、ブラシは、長尺体との摩擦により摩耗して塵埃を払拭する機能が低下するため、適宜交換する必要がある。
本発明はこのような事情に鑑みてなされたものであって、その目的とするところは、ブラシの交換が容易な長尺体巻取装置の長尺体の引出口の構造を提供することである。
【０００４】
【課題を解決するための手段】
このような問題を解消するために本発明においては、長尺体の巻取機構を内蔵するケースの前記長尺体の引出口にブラシを取付ける構造において、前記ケースに形成された略四角形の窓の対向する対角点を分割点とするように弾性変形可能な2つの枠体を構成し、前記枠体のそれぞれの外周に前記窓に係合する溝を設けるとともにブラシを植設し、前記枠体のそれぞれに、最後に前記窓に当接する領域の奥側に前記窓を乗り越えるための切り欠き部が形成されていて、前記枠体を前記窓に弾性により固定するようにした。
【０００５】
【作用】
枠体の１つを窓に嵌め込んだ後、他方の枠体の一部を窓に嵌め込んで既に嵌め込まれている枠体に係合させることにより、ブラシを窓に固定し、また係合を解くことにより枠体を窓から取り外すことができる。
【０００６】
【発明の実施の態様】
そこで以下に本発明の詳細を図示した実施例に基づいて説明する。
図１（イ）、（ロ）は、それぞれ本発明の窓構造を備えた長尺体巻取装置の一実施例を示すものであって、図示しない巻取機構を内蔵したケース１は、使用時に上部となる領域２に取っ手３が、また底部となる領域４には塵埃排出用の貫通孔５が形成され、さらに側面６に長尺体の引出口７が形成されている。
【０００７】
引出口７は、ほぼ長方形に形成された窓８（図２）に、図３に示したように２分割された枠体１０、２０が嵌装され、これら枠体１０、２０の長辺にそれぞれ対向するようにブラシ１１、２１が植設されている。
【０００８】
枠体１０、２０は、指により弾性変形させることができる程度の剛性を有するように高分子材料により構成され、外周側にはケース１の窓８の厚さにほぼ一致する溝１２、２２が形成され、また周囲にブラシ１１、２１を植設する孔１３、２３が穿設されている。
【０００９】
枠体１０、２０は、一方は、組み合わせられて構成する長方形の対角から他方の対角点を越える位置までの長さを有し、かつそれぞれが平行な平面上で突き当たって当接する先端部１４、２４と、他方の内面１５に突き当たって当接する先端部２５とを有するようにそれぞれ長短２種類に構成されている。
【００１０】
枠体１０の他方の枠体１０が当接する内面１５には凹部１６が、また枠体２０の先端部２５には半球状の突部２６が形成されている。
【００１１】
長めに構成された枠体１０は、対角点を越える領域の奥側に溝１２を残す程度の切り欠き部１７が形成されており、また短めに構成された枠体２０は、対角点の領域の奥側に斜めの切り欠き部２７、２８が形成されている。
【００１２】
この実施例において、長めの枠体１０を、ケース１の窓８の辺に対して斜めとなる状態で溝を窓８に位置合わせし（図４（イ））、対角点を支点とするように長辺の溝１２を窓の辺に填める（図４（ロ））。このとき、枠体１０の他端部はここに形成されている切り欠き部１７によりスムーズに奥に移動し、それぞれが窓８の対角点で支持された状態で規定位置に仮止めされる（図５（イ））。
【００１３】
この状態で、短めの枠体２０の短辺の先端部２４を、枠体１０の対角点から若干突出している先端部１４に突き当て（図５（ロ））、切り欠き部２７により窓を越えさせて、この領域の溝２２だけを窓８に填めるとともに、枠体２０の他端側（図中、上端）を枠体１０の対角点にまで弾性を利用して押し込む（図６（イ））。
【００１４】
この状態で枠体２０をその溝２２が窓に係合するように窓の側に押し込むと（図６（ロ））、枠体２０が対角点に嵌まり込む（図７（イ））。このとき、枠体１０に形成された凹部１６に突部２６が嵌まり込む。
【００１５】
この状態では、長尺体が巻き取られると、付着している塵埃などが窓の外側で払い落とされて図示しない巻取機構に巻き取られる。
また、長尺体の引出し、巻取り時にはブラシ１１、２１に外力が作用するが、壁と係合している溝１２、２２により移動を阻止され、また対角点側に倒れるのを凹部１６と突部２６とで阻止される。
【００１６】
なお、ブラシにより払拭し切れず、ケース１に侵入した塵埃は、ケース１の底部に形成されている貫通孔５から外に排出されてしまい、ケースに溜まることはない。
【００１７】
一方、ブラシが摩耗した場合には、図７（ロ）に示したように枠体２０の先端２５を矢印Ａに示すように対向する対角点の方向に押し込むと、弾性変形して半球状の突部２６が凹部１６を容易に越えて内側に移動するから、窓８から取り外し可能となる。
【００１８】
【発明の効果】
以上、説明したように本発明によれば、枠体の１つを窓に嵌め込んだ後、他方の枠体の一部を窓に嵌め込んで既に嵌め込まれている枠体に係合させることにより、ブラシを窓に簡単に固定でき、また一方を弾性変形させることにより係合を解くことにより枠体を窓から取り外すことができる。
【００１９】
【図面の簡単な説明】
【図１】図（イ）、（ロ）は、それぞれ長尺体巻取装置の一実施例を示す正面図、及び側面図である。
【図２】同上装置のブラシを外して示す正面図である。
【図３】図（イ）乃至（ヘ）は、それぞれ枠体の表裏の構造を示す図である。
【図４】図（イ）、（ロ）は、それぞれ同上枠体を窓に嵌め込む工程を示す図である。
【図５】図（イ）、（ロ）は、それぞれ同上枠体を窓に嵌め込む工程を示す図である。
【図６】図（イ）、（ロ）は、それぞれ同上枠体を窓に嵌め込む工程を示す図である。
【図７】図（イ）、（ロ）は、それぞれ枠体に形成された係合部を拡大して示す図である。
【符号の説明】
１  ケース
５  貫通孔
８  窓
１０、２０  枠体
１１、２１  ブラシ
１２、２２  溝
１４、２４  先端部
１５  内面
１６  凹部
２６  突部
【図１】
0004311699.tif 000002
【図２】
0004311699.tif 000003
【図３】
0004311699.tif 000004
【図４】
0004311699.tif 000005
【図５】
0004311699.tif 000006
【図６】
0004311699.tif 000007
【図７】
0004311699.tif 000008